(57)【要約】【課題】全体の重量を軽くして、作業者に与える負担を少なくすると共に、取り扱いを簡単且つ容易にすることができるハンドアイロンを提供する。【解決手段】作業者の手Ａを、ハンドアイロン１の断熱部３上面に装着した粘着部４に押し付けて、その粘着部４の粘着力により、ハンドアイロン１全体を作業者の手Ａで粘着保持する。柔軟性及び耐熱性を有するシリコン樹脂で形成した発熱部２を、例えば被縫製物Ｂの縫い合わせ部Ｂａに重合された伸び防止テープＣに押し当てて、ヒーター２ａの熱により、伸び防止テープＣを、被縫製物Ｂの縫い合わせ部Ｂａに沿って貼着固定する。また、被縫製物Ｂの所望する部分に直接押し当てて、必要な皺を付けるか、不要な皺を伸ばした状態にアイロン仕上げする作業を行う。【選択図】　図１
2004081730.tif 000002
【特許請求の範囲】
【請求項１】
被加熱物の任意部分に対して押し当てられる位置に作業者の手による移動が許容され、該被加熱物の任意部分を発熱部が放熱する熱で加熱処理するハンドアイロンであって、
上記作業者の手による保持が許容される温度に上記発熱部の熱を遮断する断熱部を、上記被加熱物に対して押し当てられる発熱部の加熱面側を除いた外面に設けると共に、
上記発熱部の略全体を、耐熱性を有する合成樹脂により形成した
ハンドアイロン。
【請求項２】
上記発熱部及び断熱部を、上記作業者の手の平と略対応する大きさに設けた
請求項１記載のハンドアイロン。
【請求項３】
上記断熱部及び作業者の手を一体的に粘着固定するのに必要な粘着力を有する粘着部を、上記発熱部と対向する部分を除いた断熱部外面に設けた
請求項１又は２記載のハンドアイロン。
【請求項４】
上記粘着部を、上記断熱部及び作業者の手を一体的に粘着固定するのに必要な粘着力を有するシリコン樹脂で構成した
請求項３記載のハンドアイロン。
【発明の詳細な説明】
【０００１】
【発明の属する技術分野】
この発明は、例えば縫製作業時において、被縫製物の縫い合わせ部が伸びるのを防止するための伸び防止テープを貼着する作業、必要な皺を付ける作業、不要な皺を伸ばした状態に仕上げる作業等に用いられるハンドアイロンに関する。
【０００２】
【従来の技術】
従来、上述のハンドアイロンとしては、例えば蒸気及び熱風を、底板部に設けた噴出孔から噴射する特許文献１のハンドアイロンと、ハンドアイロンを、アイロン台上において吊り装置により移動可能に設けた特許文献２の吊り装置付ハンドアイロンとがある。
【０００３】
【特許文献１】
特開平８−２５２３９８号公報
【特許文献２】
特開平８−２５７３００号公報。
【０００４】
【発明が解決しようとする課題】
しかし、特許文献１及び特許文献２のハンドアイロンは、略全体が金属で構成されており、略５ｋｇ〜略７ｋｇ程の重量があるため、重量が非常に重く、手や腕の疲れが早く、長時間使用することができない。且つ、重量が重いと、取り扱いにくく、被縫製物の所望する箇所を押圧するのに適した向き及び位置に変更することが難しく、熟練及び経験が必要であるため、小サイズの被縫製物及び被縫製物の細部を加熱する作業に不向きである。且つ、重量が重いと、被縫製物に対して必要以上に大きな押圧力が付与されるので、被縫製物に押し固めたようなアタリ跡が付きやすく、作業を注意して行わなければならない。且つ、特許文献２の吊り装置付ハンドアイロンは、アイロン台上において移動可能に設けられているので、所望する場所に移動することができない。
【０００５】
この発明は上記問題に鑑み、ハンドアイロンを構成する発熱部の略全体を、耐熱性を有する合成樹脂により形成することにより、全体の重量が軽くなり、作業者に与える負担を少なくして、取り扱いを簡単且つ容易にすることができるハンドアイロンの提供を目的とする。
【０００６】
【課題を解決するための手段】
この発明は、被加熱物の任意部分に対して押し当てられる位置に作業者の手による移動が許容され、該被加熱物の任意部分を発熱部が放熱する熱で加熱処理するハンドアイロンであって、上記作業者の手による保持が許容される温度に上記発熱部の熱を遮断する断熱部を、上記被加熱物に対して押し当てられる発熱部の加熱面側を除いた外面に設けると共に、上記発熱部の略全体を、耐熱性を有する合成樹脂により形成したハンドアイロンであることを特徴とする。
【０００７】
上述の被加熱物は、例えば背広やスカート等の被縫製物（衣服）、被縫製物の縫い合わせ部が伸びるのを防止するための伸び防止テープ等で構成することができる。また、発熱部は、例えばシリコンゴムやウレタンゴム、スポンジゴム等の柔軟性及び耐熱性を有するゴム部材で構成することができる。且つ、発熱部には、例えば電気や蒸気、その他の加熱媒体等により発熱するコイル状及びプレート状のヒーターを内蔵している。また、断熱部は、例えば人体に対する影響がないウール材やセラミックウール、ロックウール、グラスウール等の断熱材で構成することができる。
【０００８】
つまり、作業者の手で保持したハンドアイロンを、被加熱物の所望する部分に移動して押し当てると共に、被加熱物の所望する部分を発熱部が放熱する熱で加熱処理する。例えば被縫製物の縫い合わせ部に重合された伸び防止テープに押し当てて、伸び防止テープを、発熱部が放熱する熱により被縫製物の縫い合わせ部に沿って貼着固定する。或いは、被縫製物の所望する部分に直接押し当てて、必要な皺を付けるか、不要な皺を伸ばした状態にアイロン仕上げする。
【０００９】
実施の形態として、上記発熱部及び断熱部を、上記作業者の手の平と略対応する大きさに設けることができる。また、上記断熱部及び作業者の手を一体的に粘着固定するのに必要な粘着力を有する粘着部（例えば粘着性のシリコン樹脂、粘着剤、粘着テープ等）を、上記発熱部と対向する部分を除いた断熱部外面に設けることができる。また、上記粘着部を、上記断熱部及び作業者の手を一体的に粘着固定するのに必要な粘着力を有するシリコン樹脂で構成することができる。
【００１０】
且つ、作業者の手の平と略対応する大きさであれば、上述のハンドアイロンを、例えば平面から見て略四角形状や略円形状、略三角形状、略多角形状、略楕円形状、略半円形状、略扇形状、略台形状等の所望する形状に形成することができる。
【００１１】
【作用及び効果】
この発明によれば、ハンドアイロンを構成する発熱部の略全体を、耐熱性を有する合成樹脂により形成しているので、従来例の金属製ハンドアイロンよりも全体の重量が軽く、長い時間使用しても、手や腕が疲れにくく、作業者に与える負担を軽減することができる。且つ、重量が軽いため、取り扱いやすく、被縫製物の所望する箇所に略応じて、その所望する箇所を押圧するのに適した向き及び位置に変更する作業が簡単且つ容易に行え、熟練及び経験をさほど必要とせず、小サイズの被縫製物及び被縫製物の細部を加熱するのに最適である。
【００１２】
且つ、被加熱物に対するハンドアイロンの押し付け力を作業者の手で加減するので、必要以上に押し付け力が付与されず、被加熱物に対してソフトに押し付けることができ、被加熱物に押し固めたようなアタリ跡が付きにくく、良好な状態にアイロン仕上げすることができる。
【００１３】
【実施例】
この発明の一実施例を以下図面に基づいて詳述する。
図面は、伸び防止テープを、被縫製物の縫い合わせ部に沿って貼着する作業に用いられるハンドアイロンを示し、図１及び図２に於いて、このハンドアイロン１は、作業者の片方の手Ａ（手の平）と略対応する大きさ及び形状で、平面及び底面から見て略四角形に形成している。且つ、被縫製物Ｂの所望部分を加熱する発熱部２上面（被縫製物Ｂに対して押し当てられる発熱部２の加熱面側を除いた外面）に、作業者の手Ａによる保持が許容される温度に発熱部２の熱を断熱する断熱部３を一体的に固定し、断熱部３上面に、作業者の手Ａを粘着固定する粘着部４を一体的に固定し、プラグ付きの電源コード５を発熱部２に接続している。
【００１４】
上述の発熱部２は、例えば伸び防止テープＣの裏面側に塗布された接着剤Ａａが溶解する温度（例えば略３００℃）及び皺付けや皺取り等に適した温度に発熱するヒーター２ａを、柔軟性及び耐熱性を有するシリコンゴム製のラバー部材２ｂに内蔵している。また、上述のヒーター２ａの発熱温度を、例えば略３００℃以下又は以上の温度に変更することもできる。
【００１５】
前述の断熱部３は、例えば略１２００℃までの断熱性及び耐熱性を有し、人体に対する影響がないウール材で形成した断熱材３ａを、発熱部２上面と略合致する大きさ及び形状に形成して、発熱部２及び断熱部３の対向面を一体的に固定している。また、断熱材３ａを、例えば略１２００℃以下又は以上の断熱性を有するものに代えることもできる。
【００１６】
前述の粘着部４は、例えば作業者の手Ａを粘着固定するのに必要な大きさ及び形状に形成され、ハンドアイロン１全体を作業者の手Ａで持ち上げるのに必要な粘着力を有するシリコンゴム製の粘着体４ａを、側面から見て滑らかな曲面形状（例えば略蒲鉾形状や略円弧形状、略半円形状等）を有する断熱部３の上面側中央部に対して一体的に固定している。また、粘着部４を、例えば断熱部３の略上面全体に固定するか、側面から見て略平坦に形成した断熱部３上面に固定するか、断熱部３上面に対して露出する状態に埋設及び敷設してもよい。
【００１７】
なお、粘着部４の代わりに、例えば面ファスナーや粘着テープ、マグネット、ベルト等の固定手段を用いて、作業者の手Ａを断熱部３に対して一体的に固定してもよい。
【００１８】
前述の電源コード５は、コードの一端側を、例えば電気回路やＩＣ回路等の制御回路（図示省略）を介して、発熱部２に内蔵されたヒーター２ａに接続し手射る。且つ、コードの他端側を、例えば一般家庭用又は工業用のコンセント等に差し込まれるプラグ５ａに接続している。
【００１９】
なお、電源コード５の代わりに、例えばアイロン本体１ａ又は断熱部３に内蔵したバッテリーや電池等の電気でヒーター２ａを発熱させることもできる。また、例えば電源から供給される電流を通電及び遮断する電源スイッチと、ヒーターの発熱温度を可変調節する温度スイッチとを、発熱部２や電源コード５に設けることもできる。
【００２０】
図示実施例は上記の如く構成するものにして、以下、伸び防止テープＣを、被縫製物Ｂの縫い合わせ部Ｂａに沿ってハンドアイロン１により貼着する方法を説明する。
【００２１】
先ず、電源コード５のプラグ５ａを、一般家庭用のコンセントに差し込んで、発熱部２に内蔵されたヒーター２ａを、伸び防止テープＣに塗布された接着剤Ａａを溶解及び溶融するのに適した温度に発熱する。
【００２２】
次に、図３及び図４に示すように、作業者の片方の手Ａ（手の平）を、ハンドアイロン１の断熱部３上面に装着した粘着部４に押し付けて、その粘着部４の粘着力により、ハンドアイロン１全体を作業者の手Ａで粘着保持して持ち上げ、被方生物Ｂの任意部分に対して押し当てられる位置に移動する。且つ、ハンドアイロン１を保持した後又は保持する前に、テープ収容部（例えばリール状のテープホルダ）から引き出された伸び防止テープＣを、被縫製物Ｂの縫い合わせ部Ｂａに沿って重合する。なお、伸び防止テープＣは、被縫製物Ｂの縫い合わせ部Ｂａよりも幅狭又は幅広に形成されている。
【００２３】
次に、作業者の手Ａで保持したハンドアイロン１の発熱部２を、被縫製物Ｂの縫い合わせ部Ｂａに重合される伸び防止テープＣに対して順に押し当てながら、ヒーター２ａが放熱する熱により、伸び防止テープＣに塗布された接着剤Ａａを溶解及び溶融させ、伸び防止テープＣを、被縫製物Ｂの縫い合わせ部Ｂａに沿って貼着固定する。
【００２４】
一方、伸び防止テープＣの貼着作業が終了した後又は次の伸び防止テープＣの準備作業を行うとき、作業者の手Ａで保持したハンドアイロン１を、作業者側部に配設したアイロン受け部Ｄに載置すると共に、作業者の手Ａを、粘着部４上面に固定した粘着体４ａから粘着力に抗して分離し、ハンドアイロン１を、次の作業開始時までアイロン受け部Ｄに載せておく。以下、上述と同様にして、伸び防止テープＣの貼着作業を継続して行う。
【００２５】
また、作業者の手Ａで保持したハンドアイロン１の発熱部２を、被縫製物Ｂの所望する部分に直接押し当てて、必要な皺を付けるか、不要な皺を伸ばした状態にアイロン仕上げする等の作業を行うこともできる。
【００２６】
且つ、シリコン樹脂製の粘着部４は、例えばゴミや油、毛、手垢等の付着物が粘着体４ａの表面に付着すると、作業者の手Ａを粘着保持させるための粘着力が低下するが、粘着部４の表面に付着する付着物を、例えば払拭体や払拭剤等により払拭除去するだけで、作業者の手Ａを粘着保持するのに必要な粘着力に回復させることができ、粘着部４の粘着力が半永久的に得られる。
【００２７】
以上のように、ハンドアイロン１を構成する発熱部２の略全体を、柔軟性及び耐熱性を有するシリコン樹脂により形成しているので、従来例の金属製ハンドアイロンよりも重量が軽く、実施例では略３０ｇ程であるため、長い時間使用しても、手Ａや腕が疲れにくく、作業者に与える負担を軽減することができる。且つ、重量が軽いため、取り扱いやすく、被縫製物Ｂの所望する箇所に略応じて、その所望する箇所を押圧するのに適した向き及び位置に変更する作業が簡単且容易に行え、熟練及び経験をさほど必要とせず、小サイズの被縫製物Ｂ及び被縫製物Ｂの細部を加熱するのに最適である。
【００２８】
且つ、被縫製物Ｂの縫い合わせ部Ｂａに対するハンドアイロン１の押し付け力を作業者の手Ａで加減することができ、金属製ハンドアイロンの重量よりも小さい力で押圧されるため、必要以上に押し付け力が付与されず、被縫製物Ｂに対してソフトに押し付けることができ、被縫製物Ｂに押し固めたようなアタリ跡が付きにくく、良好な状態にアイロン仕上げすることができる。
【００２９】
且つ、作業者の手Ａを、断熱部３上面に固定した粘着部４に粘着させて、ハンドアイロン１全体を作業者の手Ａで粘着保持するので、作業者の手Ａを、例えば袋状の挿入部に差し込んだり、その挿入部から抜き取ったりするような手間及び作業が省け、ハンドアイロン１を脱着及び保持する作業が簡単且つ容易に行える。
【００３０】
図５は、作業者の手Ａが挿入許容される正面から見て略環状の挿入部６を、粘着部４を跨ぐようにして断熱部３上面に取り付けたハンドアイロン１の他の例を示し、作業者の手Ａを、断熱部３上面に取り付けた挿入部６に挿入し、断熱部３上面に装着した粘着部４に粘着させて保持するので、作業中において、作業者の手Ａからハンドアイロン１が脱落したりせず、確実且つ安定した状態に保持することができ、上述の実施例と略同等の作用及び効果を奏することができる。
【００３１】
なお、本発明のハンドアイロン１は、例えば背広やスカート等の衣服に必要な皺を付けたり、不要な皺を伸ばした状態にアイロン仕上げする作業にも用いることができ、上述の実施例の用途のみに限定されるものではない。
【００３２】
且つ、高温の蒸気を供給する蒸気供給源を、ハンドアイロン１を構成する発熱部２に接続して、蒸気供給源から供給される蒸気を発熱部２の加熱面側から噴出して、被縫製物Ｂの所望する部分を適度に蒸らし処理することもできる。
【図面の簡単な説明】
【図１】ハンドアイロンの外観形状を示す斜視図。
【図２】ハンドアイロンの内部構造を示す縦断正面図。
【図３】ハンドアイロンによる伸び防止テープの貼着方法を示す平面図。
【図４】伸び防止テープの貼着状態を示す断面図。
【図５】略環状の挿入部を取り付けたハンドアイロンの他の例を示す斜視図。
【符号の説明】
Ａ…手
Ｂ…被縫製物
Ｂａ…縫い合わせ部
Ｃ…伸び防止テープ
１…ハンドアイロン
２…発熱部
２ａ…ヒーター
３…断熱部
４…粘着部
５…電源コード
６…挿入部
【図１】
2004081730.tif 000003
【図２】
2004081730.tif 000004
【図３】
2004081730.tif 000005
【図４】
2004081730.tif 000006
【図５】
2004081730.tif 000007